(57)【要約】【課題】スライドショー再生を行う対象の画像数が少数の場合であっても、簡易な操作で変化に富むスライドショー再生を実行することができる再生装置、デジタルカメラ、スライドショー再生方法、及びプログラムを提供すること。【解決手段】画像を記憶する記憶部18と、ユーザーによる振動操作を検出する振動検出部33と、上記振動検出部33により検出された振動操作に基づいて、スライドショー再生における再生内容の切換えを指示する切換え指示部10cと、上記切換え指示部10cによる指示に基づいて、上記スライドショー再生の為の画像であるスライドショー画像の作成処理を行う合成処理部24と、上記記憶部18に記憶された画像と、上記スライドショー画像と、を上記スライドショー再生するスライドショー制御部10bと、を具備するデジタルカメラ１。【選択図】      図１
2009141676.tif 000002
【特許請求の範囲】
【請求項１】
複数の画像を連続して再生するスライドショー再生を行う再生装置であって、
上記画像を記憶する記憶部と、
ユーザーによる当該再生装置の振動操作を検出する振動検出部と、
上記振動検出部による検出結果に基づいて、上記スライドショー再生における再生内容の切換えを指示する切換え指示部と、
上記切換え指示部による指示に基づいて、上記スライドショー再生の為の画像であるスライドショー画像の作成処理を行う合成処理部と、
上記記憶部に記憶された画像と、上記スライドショー画像と、を上記スライドショー再生するスライドショー制御部と、
を具備することを特徴とする再生装置。
【請求項２】
上記合成処理部は、上記スライドショー制御部による上記スライドショー再生時に上記切換え指示部により切換え指示が為された場合には、該切換え指示に基づいて、上記スライドショー画像に対して所定の画像処理を施してスライドショー二次画像を生成し、
上記スライドショー制御部は、上記記憶部に記憶された画像と、上記スライドショー画像と、上記スライドショー二次画像と、をスライドショー再生することを特徴とする請求項１に記載の再生装置。
【請求項３】
上記合成処理部による上記スライドショー画像の作成処理は、２つの画像の合成処理を含み、
上記合成処理部は、上記２つの画像が何れも人物の顔部を主要な被写体とする画像である場合には、これら２つの画像における人物の顔部について合成処理を施した画像を作成することを特徴とする請求項１に記載の再生装置。
【請求項４】
上記切換え指示部は、上記振動検出部が所定の振動操作を検出すると、上記合成処理部に上記スライドショー画像の作成処理を行わせない指示を行うことを特徴とする請求項１に記載の再生装置。
【請求項５】
上記切換え指示部は、上記振動検出部が所定の振動操作を検出すると、上記スライドショー制御部に上記スライドショー再生に係る画像の再生順序を変更させる指示を行うことを特徴とする請求項１に記載の再生装置。
【請求項６】
上記スライドショー制御部は、上記スライドショー再生に合わせて音楽を再生し、且つ上記スライドショー再生に係る画像数の増加に応じて、画像1枚当たりの再生表示時間を短縮させることを特徴とする請求項１に記載の再生装置。
【請求項７】
上記検出部により検出される上記振動操作とは、ユーザーによる当該再生装置への振動回数及び振動時間であることを特徴とする請求項１に記載の再生装置。
【請求項８】
上記請求項１乃至上記請求項７のうち何れか一つに記載の再生装置を具備することを特徴とするデジタルカメラ。
【請求項９】
複数の画像を連続して再生するスライドショー再生を行う再生装置におけるスライドショー再生方法であって、
ユーザーによる当該再生装置の振動操作を検出する振動検出ステップと、
上記振動検出ステップにおいて検出された検出結果に基づいて、上記スライドショー再生における再生内容の切換えを指示する切換え指示ステップと、
上記切換え指示ステップにおいて為された切換え指示に基づいて、上記スライドショー再生の為の画像であるスライドショー画像の作成処理を行う合成処理ステップと、
上記スライドショー画像を含む画像を用いて上記スライドショー再生を実行するスライドショー再生ステップと、
を有することを特徴とするスライドショー再生方法。
【請求項１０】
複数の画像を連続して再生するスライドショー再生を再生装置のコンピュータに実行させるプログラムであって、
上記画像を記憶する記憶機能と、
ユーザーによる当該再生装置の振動操作を検出する振動検出機能と、
上記振動検出機能により検出された検出結果に基づいて、上記スライドショー再生における再生内容の切換えを指示する切換え指示機能と、
上記切換え指示機能による切換え指示に基づいて、上記スライドショー再生の為の画像であるスライドショー画像の作成処理を行う合成処理機能と、
上記記憶機能により記憶された画像と、上記スライドショー画像と、を上記スライドショー再生するスライドショー制御機能と、
をコンピュータに実行させることを特徴とするプログラム。
【発明の詳細な説明】
【技術分野】
【０００１】
本発明は、スライドショー再生を行う再生装置、デジタルカメラ、スライドショー再生方法、及びプログラムに関する。
【背景技術】
【０００２】
近年、デジタルカメラの普及と共に、デジタルデータを記録する為の記録メディアの大容量化も進み、主としてフィルムカメラが用いられていた時代と比較すると、容易に大量の画像撮影を行うことが可能になった。
【０００３】
このような事情に鑑みて、撮影により取得した画像を鑑賞する方法として、従来主として行われていたように当該画像を写真としてプリントアウトし、それらをアルバム化して鑑賞する方法以外に、様々な鑑賞方法が提案されている。
【０００４】
例えば、特許文献１には、記録された複数の画像と音声とを組み合わせて画像の音声付きスライドショー再生を手軽に行うことができるデジタルカメラが開示されている。この特許文献１に開示されているデジタルカメラでは、メモリカードに記録されている静止画ファイルの静止画を静止画再生手段で再生させ、再生された静止画をＬＣＤパネルで表示し、静止画選択手段で、表示された複数の静止画の中からスライドショーに使用する静止画を選択する。一方で、記録されている音声ファイルの音声を音声再生手段で再生させ、音声ファイルの音声シーケンスの複数箇所に選択された静止画を挿入手段でそれぞれ挿入し、音声シーケンスに静止画を挿入したスライドショーデータを静止画音声表示手段でＬＣＤパネルに表示させる。
【０００５】
なお、上記スライドショー再生とは、複数の画像を所定の時間で切り替えて連続して再生する画像再生方法である。
【０００６】
また、特許文献２には、デジタルカメラに振動センサを設け、当該デジタルカメラを振ることで、ディスプレイ上の写真の表示態様を変化させる構成の写真鑑賞システムが開示されている。この特許文献２に開示された写真鑑賞システムでは、表示手段に接続されたデジタルカメラがユーザーによって振られると、当該表示手段に表示される画像の表示態様が変化する。
【０００７】
さらに、特許文献３には、簡単に所定の動作を実行させることができる撮像装置が開示されている。この特許文献３に開示された撮像装置では、撮像装置の姿勢が姿勢Ｘとは異なった場合に、一定時間内に元の姿勢Ｘに戻っているか否かをチェックし、一定時間内に元の姿勢Ｘに戻っていると判定した場合、つまり当該撮像装置が振られた場合、当該撮像装置が具備する表示手段に表示する再生画像を変更する。これにより、ボタンを操作せずとも、当該撮像装置を振るだけで、再生画像の表示を送ることが可能となる。
【特許文献１】特開２００４−２９７４２４号公報
【特許文献２】特開２００５−５９８８号公報
【特許文献３】特開２００６−８７０４９号公報
【発明の開示】
【発明が解決しようとする課題】
【０００８】
ところで、スライドショー再生は、当該スライドショー再生に係る画像の数がある程度の数以上存在しなければ、鑑賞者にとって非常に単調なスライドショー再生になってしまうという課題を有している。なお、上記特許文献１に開示された技術は、このような課題を解決するものではない。
【０００９】
また、例えば振動を加える等の簡単な操作によって、ディスプレイ上に表示される画像の表示態様を変化させる装置によれば、少ない画像数であっても変化に富む表示が可能となるが、常に当該装置に対して所定の操作を加え続けなくてはならないという課題がある。なお、上記特許文献２及び上記特許文献３に開示された技術は、このような課題を解決するものではない。
【００１０】
本発明は、上記の事情に鑑みて為されたものであり、スライドショー再生を行う対象の画像数が少数の場合であっても、簡易な操作で変化に富むスライドショー再生を実行することができる再生装置、デジタルカメラ、スライドショー再生方法、及びプログラムを提供することを目的とする。
【課題を解決するための手段】
【００１１】
上記の目的を達成するために、本発明の第１の態様による再生装置は、複数の画像を連続して再生するスライドショー再生を行う再生装置であって、上記画像を記憶する記憶部と、ユーザーによる当該再生装置の振動操作を検出する振動検出部と、上記振動検出部により検出された振動操作に基づいて、上記スライドショー再生における再生内容の切換えを指示する切換え指示部と、上記切換え指示部による指示に基づいて、上記スライドショー再生の為の画像であるスライドショー画像の作成処理を行う合成処理部と、上記記憶部に記憶された画像と、上記スライドショー画像と、を上記スライドショー再生するスライドショー制御部と、を具備することを特徴とする。
【００１２】
上記の目的を達成するために、本発明の第２の態様によるデジタルカメラは、上記第１の態様に記載の再生装置を具備することを特徴とする。
【００１３】
上記の目的を達成するために、本発明の第３の態様によるスライドショー再生方法は、複数の画像を連続して再生するスライドショー再生を行う再生装置におけるスライドショー再生方法であって、ユーザーによる当該再生装置の振動操作を検出する振動検出ステップと、上記振動検出ステップにおいて検出された検出結果に基づいて、上記スライドショー再生における再生内容の切換えを指示する切換え指示ステップと、上記切換え指示ステップにおいて為された切換え指示に基づいて、上記スライドショー再生の為の画像であるスライドショー画像の作成処理を行う合成処理ステップと、上記スライドショー画像を含む画像を用いて上記スライドショー再生を実行するスライドショー再生ステップと、を有することを特徴とする。
【００１４】
上記の目的を達成するために、本発明の第４の態様によるプログラムは、複数の画像を連続して再生するスライドショー再生を再生装置のコンピュータに実行させるプログラムであって、上記画像を記憶する記憶機能と、ユーザーによる当該再生装置の振動操作を検出する振動検出機能と、上記振動検出機能により検出された検出結果に基づいて、上記スライドショー再生における再生内容の切換えを指示する切換え指示機能と、上記切換え指示機能による切換え指示に基づいて、上記スライドショー再生の為の画像であるスライドショー画像の作成処理を行う合成処理機能と、上記記憶機能により記憶された画像と、上記スライドショー画像と、を上記スライドショー再生するスライドショー制御機能と、をコンピュータに実行させることを特徴とする。
【発明の効果】
【００１５】
本発明によれば、スライドショー再生を行う対象の画像数が少数の場合であっても、簡易な操作で変化に富むスライドショー再生を実行することができる再生装置、デジタルカメラ、スライドショー再生方法、及びプログラムを提供することができる。
【発明を実施するための最良の形態】
【００１６】
以下、図面を参照して本発明の一実施形態を説明する。
【００１７】
図１は、本発明の一実施形態に係るデジタルカメラの構成を示すブロック図である。図１に示すように、デジタルカメラ１は、カメラ制御部１０と、操作ＳＷ部１１と、時計部１２と、ＲＯＭ１３と、撮像部１４と、光学系制御部１５と、画像処理部１６と、記録再生部１７と、記憶部１８と、表示制御部１９と、表示部２０と、通信部２１と、顔検出部２２と、切出し部２３と、合成処理部２４と、振動検出部３３と、音楽再生部３４とを具備する。
【００１８】
上記カメラ制御部１０は、上記ＲＯＭ１３に格納されたプログラムに基づいてカメラ全体を統括的に制御する。しかしながら、ここでは説明の便宜上、上記カメラ制御部１０は、分類処理（詳細は後述）を行う分類部１０ａと、スライドショー再生の制御処理（詳細は後述）を行うスライドショー制御部１０ｂと、切換指示処理（詳細は後述）を行う切換え指示部１０ｃとを有するとして、以下説明する。
【００１９】
詳細には、上記分類部１０ａは、画像データの撮影日時等に基づいて、当該画像データの撮影を行ったイベント等を判定して、該判定結果に基づいて上記記憶部１８への画像データ記録時に、当該撮影に係る画像データの分類処理を行う。
【００２０】
上記スライドショー制御部１０ｂは、スライドショー再生の指示があった場合、上記記憶部１８、上記画像処理部１６、及び上記表示制御部１９等を制御し、画像データ及び音楽データの切換え等のスライドショー再生制御を行う。
【００２１】
上記切換え指示部１０ｃは、後述する振動検出部３３から通知された検出結果に基づいて、当該デジタルカメラが振動操作された（振られた）回数ｋ及び振動時間ｔｋを算出することでユーザーによる切換え操作内容を判断し、該判断結果に基づいて画像データの切換えを上記スライドショー制御部１０ｂに指示する。
【００２２】
上記操作ＳＷ部１１は、上記カメラ制御部１０に接続され、ユーザーによる上記操作ＳＷ部１１の指示を検出して上記カメラ制御部１０への指示を行う。
【００２３】
上記時計部１２は、上記カメラ制御部１０に接続され、日時をカウントして取得した日時データを上記カメラ制御部１０へ出力する。
【００２４】
上記ＲＯＭ１３は、上記カメラ制御部１０に接続され、上記カメラ制御部１０が当該カメラ全体を統括的に制御する為のプログラムを格納する。
【００２５】
上記撮像部１４は、少なくとも、被写体像を結像する撮影レンズを含む光学部と、光学像を光電変換する撮像素子と、該撮像素子から出力された電気信号を処理して画像データを生成して出力する撮像処理部とを有する。
【００２６】
上記光学系制御部１５は、上記カメラ制御部１０からの指示に従って、上記撮像部１４における上記光学部内部のレンズ及びシャッタを駆動する。
【００２７】
上記画像処理部１６は、画像データについて色処理やガンマ処理等の各種画像を施す。また、上記画像処理部１６は、更に圧縮伸長部を備え、撮影時にはこの圧縮伸張部によって、画像処理を施した画像データを圧縮処理し、再生時には圧縮を施した画像データに対して伸長処理等の画像処理を行う。
【００２８】
上記記録再生部１７は、画像撮影時においては、上記画像処理部１６によって圧縮された画像データを上記記憶部１８に記録し、画像再生時においては上記画像処理部１６によって圧縮された所定の画像データを上記記憶部１８から読み出す。
【００２９】
上記記憶部１８は、通常の画像データ及び音楽データ等を記憶する領域の他、撮影により取得した画像データ及び合成処理部２４や画像処理部１６により画像処理されて生成されたスライドショー再生用の画像データを仮に記憶する表示用仮記憶領域１８ａと、スライドショー再生に用いるＢＧＭの音楽データ等を記憶する音楽用仮記憶領域１８ｂとを有する。
【００３０】
上記表示制御部１９は、撮影時においては、上記画像処理部１６による画像処理で生成された表示用の画像であるモニタ画像を、上記表示部２０に表示させる。また、上記表示制御部１９は、画像再生時には、上記記憶部１８から読み出され上記画像処理部１６により伸長処理された画像を、上記表示部２０に表示させる。
【００３１】
上記通信部２１は、例えば外部ＰＣやネットワーク等を介して通信可能なサーバー等の外部機器と、例えば画像データや音楽データ等のデータ送受信を行う為のインターフェースである。
【００３２】
上記顔検出部２２は、例えば撮影時に上記表示部２０に表示される撮影画像や撮影により取得した画像データ中における人物等の顔部の位置を検出する位置検出部２２ｂと、上記位置検出部２２ｂにより位置検出された上記顔部の大きさを検出する大きさ検出部２２ａとを有する。上記顔検出部２２は、このようにして被写体の顔部に関する情報を検出する。
【００３３】
ここで、上記顔検出部２２によって検出された撮影画像等における顔部の有無、大きさ及び位置等の顔部に関する情報は、当該画像データの記憶時に時計情報と共にファイル化されて上記記憶部１８に記憶される。この顔部に関する情報は、画像データを分類する際に利用する。
【００３４】
なお、上記顔検出部２２により検出される上記顔部の位置に関する情報は、撮影時において、露出やピント合わせ等の為にも利用することができる。
【００３５】
上記切出し部２３は、上記顔検出部２２によって検出された顔部に関する情報に基づいて、画像データから顔部分を切出す処理を行う。
【００３６】
上記合成処理部２４は、上記切出し部２３によって切出された顔部の拡大又は縮小処理や４画面合成処理等を行って、元の顔部の画像とは異なる顔部の画像を生成する。かかる画像を、以下でスライドショー二次画像とも呼ぶ。
【００３７】
なお、上記切出し部２３及び上記合成処理部２４は、上記スライドショー制御部１０ｂからの指示に基づいて上述した処理を行う。
【００３８】
上記振動検出部３３は、振動センサ（不図示）を有し、該振動センサによって当該デジタルカメラのユーザーによる振動操作の状態を検出し、該検出結果を上記切換え指示部１０ｃに通知する。
【００３９】
上記音楽再生部３４は、上記スライドショー制御部１０ｂの指示に基づいて、画像データの再生にタイミングを合わせて、上記音楽用仮記憶領域１８ｂに記憶された音楽を再生する。
【００４０】
以下、本一実施形態に係るデジタルカメラの主な特徴部の一つであるスライドショー再生について説明する。
【００４１】
図２は、横軸に撮影日時を示し、縦軸に撮影により取得した画像データ数を示すグラフ例である。つまり、図２に示すグラフは、撮影頻度のばらつきを示すグラフの一例である。
【００４２】
図２においては、１日を６つの時間帯（順に第一時間帯、第二時間帯、…、第六時間帯と称する）に分け、各々の時間帯において撮影して取得した画像データの数を、１画像を１つの正方形で表現することで示している。
【００４３】
さらに、図２においては、主な被写体が人物である画像データ（以降、人物画像データと称する）と、人物以外を主な被写体である画像データ（以降、一般画像データと称する）とを区別して表している。すなわち、斜線のハッチングが付されている正方形は上記人物画像データを示しており、白抜きの正方形は上記一般画像データを示している。
【００４４】
図２に示す例では、イベントとして、９/２１には運動会、９/２５には結婚式が行われ、９/２０に撮影して取得した画像データ数は０枚であり、９/２１に撮影して取得した画像データ数は１８枚である。
【００４５】
より詳細には、この９／２１に撮影して取得した画像データの内訳は、第一時間帯には人物画像データが１枚、第二時間帯には人物画像データが５枚且つ一般画像データが２枚、第三時間帯には人物画像データは５枚且つ一般画像データが２枚、第四時間帯には人物画像データが２枚、第五時間帯には一般画像データが１枚である。
【００４６】
このように、一般的なユーザーであれば、撮影日毎に撮影により取得する画像データ数は大きく異なる。なお、このような撮影枚数のばらつきは、通常一定のパターンを有している為、撮影により取得した画像データがどのようなイベントにおいて撮影されたのかを、或る程度の精度で判定することが可能となる。
【００４７】
そして、画像データが撮影されたイベントを判定することで、画像データのスライドショー再生を行う際に同時に再生する適切な音楽データを自動的に決定することができる。図３は、画像データのスライドショー再生を行う際に同時に再生する音楽データを自動的に決定する上記カメラ制御部１０（主として上記分類部１０ａ）による処理のフローチャートを示す図である。
【００４８】
なお、ここでは説明の便宜上、１日単位でそのイベントを判定する処理を説明するが、１日単位である必然性はなく、より短い単位又は長い単位でイベントを判定しても勿論よい。
【００４９】
まず、上記分類部１０ａは、上記記憶部１８に記憶された画像データを、それら画像データの撮影時刻に基づいて、上記第一時間帯乃至第六時間帯に分類する（ステップＳ１）。
【００５０】
続いて、上記分類部１０ａは、所定の日付において、上記ステップＳ１において分類した画像データが、上記第一時間帯乃至第六時間帯のうちの何れか一つの時間帯に集中しているか否かを判定する（ステップＳ２）。この判定は、例えば旅行等においては、撮影を実行する回数は、一日の各時間帯に分散する傾向があることを利用した判定である。
【００５１】
このステップＳ２をＹＥＳに分岐する場合、上記分類部１０ａは、顔部のアップが写っている画像データの占める割合が所定の割合より小さいか否かを判定する（ステップＳ３）。このステップＳ３をＹＥＳに分岐する場合、当該画像データが撮影されたイベントを、例えば運動会等の“学校行事”であると判定する（ステップＳ４）。一方、上記ステップＳ３をＮＯに分岐する場合、上記分類部１０ａは、当該画像データが撮影されたイベントを“パーティ”であると判定する（ステップＳ５）。
【００５２】
ところで、上記ステップＳ２をＮＯに分岐する場合、上記分類部１０ａは、風景が写っている画像データの占める割合が所定の割合より大きいか否かを判断する（ステップＳ６）。このステップＳ６をＹＥＳに分岐する場合、上記分類部１０ａは、当該画像データが撮影されたイベントを“旅行”であると判定する（ステップＳ７）。一方、上記ステップＳ６をＮＯに分岐する場合、上記分類部１０ａは、当該画像データを“その他”の画像データであると判定する（ステップＳ８）。
【００５３】
上述したステップＳ４、ステップＳ５、ステップＳ７、又はステップＳ８における処理を終えると、上記分類部１０ａは、上述したように判定したイベントに基づいて、当該イベントに相応しい音楽データを、上記記憶部１８に記憶された音楽データから選択決定する（ステップＳ９）。
【００５４】
なお、図３を参照して説明したイベント判定処理は、撮影後における適当なタイミングで自動的に為されるようにしても良いし、ユーザーの指示により実行されるようにしても勿論よい。
【００５５】
以上説明した処理により、撮影により取得した画像データに基づいて、当該画像データが撮影されたイベントを判定し、該イベントに相応しい音楽データを選択決定することができる。
【００５６】
図４は、本一実施形態に係るデジタルカメラ１の撮影制御及び再生制御に関する上記カメラ制御部１０による処理のフローチャートを示す図である。
【００５７】
まず、上記カメラ制御部１０は、当該デジタルカメラが撮影モードに設定されているか否かを判定する（ステップＳ１１）。このステップＳ１１をＹＥＳに分岐する場合、上記カメラ制御部１０は、ユーザーによりレリーズ操作が為されたか否かを判定する（ステップＳ１２）。このステップＳ１２をＮＯに分岐する場合は、上記ステップＳ１１へ戻る。つまり、上記ステップＳ１２は、ユーザーによりレリーズ操作が為されるのを待つステップである。
【００５８】
一方、上記ステップＳ１２をＹＥＳに分岐する場合、上記カメラ制御部１０は、ユーザーによるレリーズ操作で撮影され取得した画像データを上記記憶部１８へ記録する（ステップＳ１３）。続いて、上記記録再生部１７が、当該画像データの撮影時刻を、当該画像データと対応付けて上記記憶部１８に記録する（ステップＳ１４）。さらに、上記記録再生部１７は、上記顔検出部２２によって検出された顔部の位置を、当該画像データと対応付けて上記記憶部１８に記録する（ステップＳ１５）。
【００５９】
さらに、上記カメラ制御部１０は、当該画像データの直前（例えば１０分以内）に撮影された画像データ（以降、直前画像データと称する）が存在するか否かを判断する（ステップＳ１６）。このステップＳ１６をＹＥＳに分岐する場合、上記カメラ制御部１０は、直前画像データと同じ画像グループの画像データであると推定し、当該画像データに対して、“直前画像データと関連有り”との補助情報を付帯的に記録する（ステップＳ１７）。この補助情報は、スライドショー再生の為に画像データを分類する際に利用する。一方、上記ステップＳ１６をＮＯに分岐する場合、上記ステップＳ１２へ戻る。
【００６０】
このように、画像データ間の関連を示す補助情報があれば、後述するスライドショー再生を行う際の、画像データのグループ分けが容易になる。そして、スライドショー再生時には、上記記憶部１８に記憶された全画像データを再生対象とするよりも、分類された一グループに属する画像データを再生対象にするほうが、１つのテーマにまとまっているのでユーザーをより楽しませることができる。
【００６１】
また、ある一グループに属する画像データを再生対象とすることで、例えばスライドショー再生時であって、仕事仲間で撮った複数の画像データを再生している場合に、突然ユーザーのプライベートな領域に係る画像データが紛れ込んで再生されてしまい、場の雰囲気が壊れてしまうといった不測の事態を防ぐことができる。
【００６２】
なお、画像データに、上述したような画像データ間の関連を示す補助情報が付帯的に記録されていれば、グループに分類する処理を行わなくとも、撮影後すぐに画像データを再生して鑑賞したり、合成処理を行ったり等、カメラをコミュニケーションツールとして利用することも可能となる。
【００６３】
上記ステップＳ１７における処理を終えた後、上記カメラ制御部１０は、更に図３に示すフローチャートを参照して説明したイベント判定処理を実行し、当該画像データのスライドショー再生時に再生する音楽データを決定して該音楽データのファイル名等を上記記憶部１８に記録する（ステップＳ１８）。ただし、このステップＳ１８の処理については、自動で行うようにせず、例えばスライドショー再生を実行する前に、ユーザーにより手動で実行させる構成としても勿論よい。
【００６４】
上記ステップＳ１８における処理を終えると、当該デジタルカメラ１の電源をＯＦＦにする操作が行われたか否かを判定する（ステップＳ２９）。このステップＳ２９をＮＯに分岐する場合は、上記ステップＳ１１へ戻る。一方、このステップＳ２９をＹＥＳに分岐する場合は、当該デジタルカメラ１の電源を切断して当該処理を終了する。
【００６５】
ところで、上記ステップＳ１１をＮＯに分岐する場合、上記カメラ制御部１０は、ユーザーによる操作で当該デジタルカメラ１が“音楽・画像再生モード”に設定されているか否かを判断する（ステップＳ１９）。このステップＳ１８をＮＯに分岐する場合、上記カメラ制御部１０は、当該デジタルカメラ１を“画像再生モード”に設定し、ユーザーによる操作に基づいて、音楽データの再生を伴わない画像のみの再生又はスライドショー再生を実行する（ステップＳ３０）。
【００６６】
その後、ユーザーにより所定の音楽データの再生操作が行われたか否かを判断する（ステップＳ３１）。このステップＳ３１をＮＯに分岐する場合は、そのまま“画像再生モード”における処理を続行する。
【００６７】
一方、上記ステップＳ３１をＹＥＳに分岐する場合は、上記カメラ制御部１０は、ユーザーにより選択された音楽データ及び画像データの再生処理を実行する（ステップＳ３２）。
【００６８】
上記ステップＳ１９をＹＥＳに分岐する場合、上記カメラ制御部１０は、図３に示すフローチャートを参照して説明したイベント判定処理で判定されたイベントに属する画像データ又はユーザーによる操作でイベント判定処理された画像データであって、ユーザーに選択された画像データを、スライドショー再生の再生候補画像として、上記記録部１８から読み出す（ステップＳ２０）。続いて、上記切換え指示部１０Ｃが、ユーザーによりカメラが振動操作されたか否かを判定する（ステップＳ２１）。
【００６９】
上記ステップＳ２１をＹＥＳに分岐する場合、上記カメラ制御部１０は、上記振動検出部３３からの出力に基づいて、当該振動操作の振動回数Ｋと振動時間ｔｋとを判定する（ステップＳ２２）。そして、この判定結果に基づいて、上記カメラ制御部１０は、図５に示すサブルーチンのフローチャートに示す処理によって、表示部２０に再生表示させる表示態様を決定する（ステップＳ２３）。
【００７０】
以下、図５に示すフローチャートを参照して、この表示態様の決定処理について説明する。なお、説明の便宜上、スライドショー再生の再生候補画像数（スライドショー再生に係る画像データの数）ｍをｍ＝４とし、当該画像データを撮影日時順に、単にａ，ｂ，ｃ，ｄと略称する。ここでは、ａ，ｃは顔部が主要な被写体である画像（以降、顔画像と称する）とする。また、ａ，ｂ，ｃ，ｄのような画像データのグループを画像列と称する。
【００７１】
なお、カメラへの振動操作が無い状態の場合（振動回数Ｋ＝０の場合）、上記カメラ制御部１０は、通常のスライドショー再生として、図６（１）に示すように、単にａ→ｂ→ｃ→ｄ→ａ・・・の順で、繰り返し画像データのスライドショー再生を実行する。
【００７２】
まず、スライドショー再生の再生候補画像数をｍとする（ステップＳ４１）。続いて、振動回数Ｋ＝１であるか否かを判定する（ステップＳ４２）。このステップＳ４２をＹＥＳに分岐する場合、図６（２）に示すように、画像データの再生順序をランダムに入れ替える（ステップＳ４５）。
【００７３】
このランダム入れ替えの１例を図６（２）に示す。図６（２）に示す例では、例えばｃとａの再生順序とを入れ替える変更を行い、再生順序はｃ→ｂ→ａ→ｄ→ｃ・・・となる。なお、このステップＳ４５においては、ランダムに再生順序を切り替えればよく、この処理により、容易にスライドショー再生の表示態様に変化を持たせることができる。
【００７４】
上記ステップＳ４１をＮＯに分岐する場合、振動時間ｔｋ＞５（ｓｅｃ）であるか否かを判定する（ステップＳ４３）。このステップＳ４３をＮＯに分岐する場合には、再生候補の画像データのうち再生順序が最初の画像データ及び次の画像データが、後述するステップＳ４６又はステップＳ４７における画像処理を施されていなく且つ顔部を主要な被写体とする画像データであるか否かを判定する（ステップＳ４４）。このステップＳ４４をＮＯに分岐する場合、後述する“先頭１画像処理モード（先頭の画像のみに合成処理を加えるモード）”の処理を行う（ステップＳ４６）。
【００７５】
なお、図６（１）に示す例では、ａは顔画像の画像データであるが、ｂはそうではないので、上記ステップＳ４４をＮＯに分岐することになる。
【００７６】
以下、上記ステップＳ４６における“先頭１画像処理モード”のサブルーチンについて、図７に示すフローチャートを参照して説明する。すなわち、上記カメラ制御部１０は、“先頭１画像処理モード”では、まず振動回数Ｋ＝２であるか否かを判定する（ステップＳ６１）。このステップＳ６１をＹＥＳに分岐する場合、先頭画像であるａの拡大処理又は縮小処理を実行し、拡大画像又は縮小画像を作成する（ステップＳ６２）。なお、このステップＳ６２における画像処理は、上記カメラ制御部１０の制御によって、上記切換え指示部１０ｃ、上記顔検出部２２、上記切出し部２３、及び上記合成処理部２４により実行される。
【００７７】
ここで、図６（３）は、上記ステップＳ６２において作成された画像のスライドショー再生における表示例を示す図である。ここで、表示例において各々の画像を示す記号（ａ乃至ｄ）が矩形で囲まれて示されている画像は、ステップＳ４６又はステップＳ４７における画像処理を施されている画像であることを示している。従って、表示例において各々の画像を示す記号（ａ乃至ｄ）が矩形で囲まれていない画像は、ステップＳ４６又はステップＳ４７における画像処理を施されていない画像である。なお、このようにスライドショー用に合成された画像（ａ/２、ａ／３）が、スライドショー二次画像である。
【００７８】
なお、これら各々の画像を示す記号やそれらを囲む図形は、説明の便宜上付したものであり、実際のスライドショー再生の際には表示されない。
【００７９】
図６（３）に示す例では、先頭画像であるａの１/２縮小画像（ａ/２と称する）と、１/３縮小画像（ａ/３と称する）とを作成し、それらの縮小画像を、ａの次に順次表示させている。すなわち、ａ→ａ／２→ａ／３→ｂ→ｃ→ｄ→ａ→ａ／２・・・の順で、繰り返しスライドショー再生を実行している。
【００８０】
なお、ここででは縮小画像を作成して表示させる例を示したが、拡大画像を作成して同様に表示させても勿論良い。また、縮小倍率及び拡大倍率に関しても任意に設定可能であるとする。
【００８１】
ところで、上記ステップＳ６１をＮＯに分岐する場合、振動回数Ｋ＝３であるか否かを判定する（ステップＳ６３）。このステップＳ６３をＹＥＳに分岐する場合、先頭画像であるａにおける顔部を２つ並べた合成画像（（ａ＋ａ）と称する）を作成する（ステップＳ６４）。
【００８２】
図６（４）は、このステップＳ６４において作成された合成画像の表示例を示す図である。同図に示す例では、再生順序２番目の画像が、上記ステップＳ６４において作成された合成画像である（ａ＋ａ）を示している。そして、スライドショー再生時には、例えば図６（４）に示すように、ａ→（ａ＋ａ）→ｂ→ｃ→ｄ→ａ→（ａ＋ａ）・・・の順で、繰り返しスライドショー再生を実行する。
【００８３】
なお、上記ステップＳ６４においては、例えば図６（６）に示すように先頭画像であるａにおける顔部を４つ並べた合成画像（（ａ×４）と称する）を作成しても勿論よく、並べる顔部の個数に制限はない。
【００８４】
一方、上記ステップＳ６３をＮＯに分岐する場合、合成画像として先頭画像であるａに対して色処理（例えば、白黒反転やセピア）を施した画像（ａ´と称する）を作成する（ステップＳ６５）。
【００８５】
図６（５）は、このステップＳ６５において作成された合成画像の表示例を示す図である。同図に示す例では、再生順序２番目の画像が、上記ステップＳ６５において作成された合成画像であるａ´を示している。そして、スライドショー再生時には、例えば図６（４）に示すように、ａ→ａ´→ｂ→ｃ→ｄ→ａ→ａ´・・・の順で、繰り返しスライドショー再生を実行する。
【００８６】
上記ステップＳ６２、上記ステップＳ６４、又は上記ステップＳ６５における処理を終えると、図５に示すフローチャートの処理へ戻る。
【００８７】
ところで、図５に示すフローチャートにおける上記ステップＳ４４をＹＥＳに分岐する場合、“先頭２画像処理モード（先頭の画像及びその次の画像のみに合成処理を加えるモード）”の処理を行う（ステップＳ４７）。
【００８８】
以下、上記ステップＳ４７における“先頭２画像処理モード”のサブルーチンについて、図８に示すフローチャートを参照して説明する。すなわち、上記ステップＳ４４をＹＥＳに分岐する場合、まず振動回数Ｋ＞３であるか否かを判定する（ステップＳ７１）。このステップＳ７１をＮＯに分岐する場合、先頭画像であるａにおける顔部と、２番目の画像であるｂにおける顔部とを合成した合成画像（（ａ×ｂ）と称する）を作成する（ステップＳ７２）。そして、スライドショー再生時には、ａ→（ａ×ｂ）→ｂ→ｃ→ｄ→ａ→・・・の順番で、繰り返しスライドショー再生が行われる。
【００８９】
なお、このステップＳ７２における合成処理は、例えば顔部の検出結果を利用し顔部の大きさを揃え、モーフィング技術等を利用することによって行う。モーフィング技術とは一の画像から他の画像への切換え変化を自然に変化していくように見せる技術である。このステップＳ７２における合成処理は、例えば先頭の２画像が共に未だ合成処理されていない顔画像である場合に有効な合成であると言える。
【００９０】
一方、上記ステップＳ７１をＹＥＳに分岐する場合には、先頭画像であるａにおける顔部が上段に２つ配置され、次の画像であるｂにおける顔部が下段に２つ配置された合成４分割画像を作成する（ステップＳ７３）。そして、スライドショー再生時には、この合成４分割画像を、例えばａとｂとの間に挿入して再生表示させる。
【００９１】
上記ステップＳ７２又は上記ステップＳ７３における処理を終えると、図５に示すフローチャートの処理へ戻る。
【００９２】
ところで、図５に示すフローチャートにおける上記ステップＳ４３をＹＥＳに分岐する場合、すなわち振動時間ｔｋが一定時間以上（ここでは５秒以上）続いた場合、上記ステップＳ４５乃至上記ステップＳ４７において施された画像処理を、全て除去する“付加効果除去処理”を行う（ステップＳ４８）。
【００９３】
つまり、このステップＳ４８においては、ユーザーによる上述した振動操作に基づいて作成され、元の画像列に追加された合成画像を、元の画像列から全て除去する。このステップＳ４８により、その時点までにユーザーによる当該デジタルカメラの振動操作に基づいて作成されスライドショー再生に挿入された合成画像が全て除去される。これは、煩雑になった画像列を解消したい場合や、新たに画像列を作り直したい場合に有効な処理である。
【００９４】
上記ステップＳ４５乃至上記ステップＳ４８のうちの何れかの処理を終えると、上記カメラ制御部１０は、スライドショー再生時の画像切換え時間ｔｃを算出する（ステップＳ４９）。
【００９５】
このステップＳ４９では、1曲の音楽再生の時間でちょうど当該画像列の全画像が再生されるように、画像の表示切換え時間ｔｃを、ｔｓを“選択された音楽の再生時間”とし、ｍを“再生候補画像数”とし、
ｔｃ＝ｔｓ／ｍ  
で算出する。
【００９６】
続いて、ｔｃが３（ｓｅｃ）以上であるか否かを判定する（ステップＳ５０）。このステップＳ５０をＮＯに分岐する場合、ｔｃを一律にｔｃ＝３（ｓｅｃ）に再設定する（ステップＳ５１）。
【００９７】
このステップＳ５１の処理は、上記ステップＳ５０にて算出されたｔｃが所定値以下の値となるようにする処理である。この処理は、１枚の画像データの再生時間が長過ぎる場合、スライドショーとしての画像切換えテンポが悪くなってしまうことを考慮した処理である。
【００９８】
上記ステップＳ５０をＹＥＳに分岐する場合、及び上記ステップＳ５１における処理を終えた後、図４に示すフローチャートのステップＳ２４に進む。
【００９９】
すなわち、図５を参照して説明したサブルーチンの処理で作成した合成画像を、上記スライドショー制御部１０ｂが、上記記憶部１８における上記表示用仮記憶部１８ａに仮記憶させる（ステップＳ２４）。
【０１００】
そして、上述した再生順序で、上記スライドショー制御部１０ｂが上記音楽再生部３４等を制御して画像データ及び音楽データの再生を開始する（ステップＳ２５）。さらに、上記スライドショー制御部１０ｂは、画像の表示切換え時間ｔｃが経過したか否かを判定する（ステップＳ２６）。このステップＳ２６をＹＥＳに分岐する場合、再生する画像データを次の画像データに切換える（ステップＳ２７）。
【０１０１】
上記ステップＳ２６をＮＯに分岐する場合、及び上記ステップＳ２７における処理を終えた後、上記スライドショー制御部１０ｂは、ユーザーにより当該スライドショー再生を終了させる操作が行われたか否かを判断する（ステップＳ２８）。このステップＳ２８をＮＯに分岐する場合、上記ステップＳ２１へ戻る。一方、上記ステップＳ２８をＹＥＳに分岐する場合、当該スライドショー再生を終了させる。
【０１０２】
なお、振動操作による画像の合成処理は１回の処理のみに限られるものではなく、当該デジタルカメラに対して振動操作を複数回に分けて与えることによって、上述した合成処理を組み合わせることもできる。これにより、表示する画像数をさらに増加させることができる。
【０１０３】
以下、ユーザーによって所定の振動操作が行われた後、更に別種の振動操作が行われた場合の処理の一例を、図９（１）乃至（３）を参照して説明する。
【０１０４】
（振動回数Ｋ＝２→振動回数Ｋ＝３の場合）
図９（１）は、振動回数Ｋ＝２の振動操作が為された後に更に振動回数Ｋ＝３の振動操作が為された場合におけるスライドショー再生の表示例を示す図である。
【０１０５】
同図に示すように、最初の振動操作即ち振動回数Ｋ＝２の振動操作が行われた状態では、図８（２）を参照して説明した表示例と同様の表示となる。ここで、更に振動回数Ｋ＝３の振動操作が為されることで、図９（１）に示すように３枚の合成画像（（ａ＋ａ），（ａ＋ａ）／２，（ａ＋ａ）／３）が追加される。なお、（ａ＋ａ）／２は上述した（ａ＋ａ）を１／２に縮小した画像、（ａ＋ａ）／３は（ａ＋ａ）を１／３に縮小した画像である。
【０１０６】
すなわち、スライドショー再生時には図９（１）に示すように、
ａ→ａ／２→ａ／３→（ａ＋ａ）→（ａ＋ａ）／２→（ａ＋ａ）／３→ｂ→ｃ→ｄ→ａ→ａ／２・・・
の順序で、繰り返しスライドショー再生が行われる。
【０１０７】
（振動回数Ｋ＝２→振動回数Ｋ＝３→振動回数Ｋ＝４の場合）
図９（２）は、振動回数Ｋ＝２の振動操作が為された後に振動回数Ｋ＝３の振動操作が為され、その後更に振動回数Ｋ＝４の振動操作が為された場合におけるスライドショー再生の表示例を示す図である。
【０１０８】
すなわち、これらの一連の振動操作により、振動回数Ｋ＝２の振動操作のみが為された場合の表示画像に、更に９枚の合成画像（（ａ＋ａ），（ａ＋ａ）／２，（ａ＋ａ）／３，ａ´，ａ´／２，ａ´／３，ａ´+ａ´，（ａ´+ａ´）／２，（ａ´+ａ´）／３）が追加される。
【０１０９】
すなわち、スライドショー再生時には図９（１）に示すように、
ａ→ａ／２→ａ／３→ａ＋ａ→（ａ＋ａ）／２→（ａ＋ａ）／３→ａ´→ａ´／２→ａ´／３→ａ´+ａ´→（ａ´+ａ´）／２・・・
の順序で、繰り返しスライドショー再生が行われる。
【０１１０】
（振動回数Ｋ＝１→振動回数Ｋ＝３の場合）
図９（３）は、振動回数Ｋ＝１の振動操作が為された後に更に振動回数Ｋ＝３の振動操作が為された場合におけるスライドショー再生の表示例を示す図である。
【０１１１】
同図に示すように、最初の振動回数Ｋ＝１の振動操作が行われた状態では、図６（２）を参照して説明した表示例と同様の表示となる。ここで、更に振動回数Ｋ＝３の振動操作が為されることで、図９（３）に示すようにｃにおける顔部分を２つ並べた合成画像（（ｃ＋ｃ））が追加される。すなわち、スライドショー再生時には図９（１）に示すように、
ｃ→（ｃ+ｃ）→ｂ→ａ→ｄ→ｃ・・・
の順序で、繰り返しスライドショー再生が行われる。
【０１１２】
さらに複合的な振動操作が行われた場合の上記カメラ制御部１０による制御を、図１０（１）乃至（４）を参照して説明する。なお、当該振動操作が行われる前（振動回数Ｋ＝０）の画像列は、図１０（１）に示すようにａ→ｂ→ｃ→ｄ・・・であるとする。
【０１１３】
まず、上述した“先頭２画像処理モード”において、振動回数Ｋ＞３でないと判定した場合（上記ステップＳ７１をＮＯに分岐する場合）、先頭画像であるａにおける顔部と、２番目の画像であるｂにおける顔部とを合成した合成画像（（ａ×ｂ））を作成する（ステップＳ７２）。そして、スライドショー再生時には、図１０（２）に示すように、ａ→（ａ×ｂ）→ｂ→ｃ→ｄ→ａ→・・・の順番で、繰り返しスライドショー再生が行われる。
【０１１４】
その後、再びユーザーにより所定の振動操作（ここでは、振動回数Ｋ＝２の振動操作とする）が為されると、当該画像列は、先頭のａは画像処理されていない画像であるが、２番目の（ａ×ｂ）は画像処理された画像であるので、上記ステップＳ４４ではＮＯに分岐される。つまり、“先頭１画像処理モード”が適用されることになる。
【０１１５】
この場合、上記ステップＳ６１をＹＥＳに分岐して、先頭画像ａの拡大・縮小画像を作成する（上記ステップＳ６２）。ここでは、ａ/２，（ａ×ｂ）/２，ｂ/２の縮小画像を作成するものとする。
【０１１６】
以上説明したような処理により、スライドショー再生時には、図１０（３）に示すように、ａ→ａ／２→（ａ×ｂ）→（ａ×ｂ）／２→ｂ→ｂ／２→ｃ→ｄ・・・の順番で、繰り返しスライドショー再生が行われる。
【０１１７】
なお、例えば振動回数Ｋ＝３、振動回数Ｋ＝２、及び振動回数Ｋ＝１の振動操作がこの順序で為された場合、図１０（３）を参照して説明したスライドショー再生の再生順序がランダムで変更される（図１０（４）参照）。そして、この再生順序の場合、先頭から２画像（ｃ及びａ）が画像処理の施されていない顔画像となる。従って、次に行われる振動操作の際には、上記ステップＳ４４をＹＥＳに分岐することとなり、上述した“先頭２画像処理モード”の処理に入る。
【０１１８】
以上説明したように、本一実施形態によれば、スライドショー再生を行う対象の画像数が少数の場合であっても、簡易な操作で変化に富むスライドショー再生を実行することができる再生装置、デジタルカメラ、スライドショー再生方法、及びプログラムを提供することができる。
【０１１９】
具体的には、ユーザーが本一実施形態に係るデジタルカメラを振動操作することで、スライドショー再生に係る画像に対して、拡大処理、縮小処理、分割処理、及び色変更処理等の様々な画像処理を施した画像が自動的に作成される。
【０１２０】
従って、スライドショー再生において、当該スライドショー再生に係るテーマの画像データが少数しかない場合であっても、本一実施形態に係るデジタルカメラによれば、例えれば一つの主題から変奏曲が作成されるように、様々なバリエーションの画像表示を楽しむことが可能となる。
【０１２１】
より詳細には、本一実施形態に係るデジタルカメラでは、ユーザーによる振動操作（振動回数Ｋ及び振動時間ｔｋ）に基づいて、スライドショー再生に係る画像に対して様々な画像処理を施すことで、画像データ数を増加させる。これにより、音楽データの再生時間ｔｍ内に表示する画像数が増加するので、ユーザーは、当該デジタルカメラを振れば振るほど、高速の画像切り替わりによるスライドショー再生となる。
【０１２２】
従来の技術によれば、スライドショー再生に係る画像データの数が少ない場合であって、音楽データの再生に合わせてそれら画像データを再生表示させる場合、何秒かおきに同じ画像データの再生が繰り返し再生表示される。つまり、鑑賞者にとっては非常に単調で飽きやすいスライドショー再生となる。
【０１２３】
しかしながら、本一実施形態に係るデジタルカメラによれば、スライドショー再生に係る画像データが少数の場合であっても、様々な画像処理を施された画像（スライドショー二次画像）が、ユーザーによる当該デジタルカメラの振動操作に基づいて適宜追加されるので、凝った内容のスライドショー再生が可能となる。従って、スライドショー再生時に、再生に係る画像データ数を多くする為に、当該スライドショー再生に係る画像のテーマと関連の薄い画像を無理に再生候補に含めるような処理も不要となる。
【０１２４】
さらに、本一実施形態に係るデジタルカメラにおいては、ユーザーは、単に当該デジタルカメラを振るという単純な動作を行うだけで、上述した多様な再生画像切り換えを行うことができる。この振動操作は、例えば容器内の内容物を攪拌したり、衝撃を加えて物体を壊したりといった動作に相通じる直感的な操作であり、ユーザーにとっては非常に容易で自然な操作である。
【０１２５】
このように、本一実施形態に係るデジタルカメラによれば、スライドショー再生に係る画像の多寡に関わらず、バラエティに富みテンポ良く次々と興味深い画像が切り替わるスライドショー再生を行うことができる。
【０１２６】
以上、本発明の実施の形態について説明したが、本発明はこれに限定されることなく、その趣旨を逸脱しない範囲で種々の改良・変更が可能であることは勿論である。
【０１２７】
例えば、上記一実施形態においては、上記振動検出部２３は当該デジタルカメラに加えられた振動操作を単純に判定する部材としていたが、他にも上記振動検出部２３として６軸センサ等を用い、振動操作より複雑な攪拌操作や投げる操作等を判定できるようにしても勿論よい。このような構成にした場合、画像合成処理の種類をより多くすることができる。    
なお、上述したカメラ制御部１０による各処理に関しては、その一部の処理又は全ての処理をハードウェアで構成しても勿論よい。また、上記顔検出部２２等による処理をソフトウェアによって構成しても勿論よい。当然ながら、具体的な構成は設計事項である。
【０１２８】
ところで、上記カメラ制御部１０による各種制御処理は、次のようにして実現される。すなわち、上記ＲＯＭ１３に格納されたソフトウェアプログラムが上記カメラ制御部１０に供給され、該供給されたプログラムに従って、上記カメラ制御部１０が上述した動作を各部に実行させることによって実現される。
【０１２９】
つまり、上記ソフトウェアのプログラム自体が上記カメラ制御部１０の機能を実現することになる。従って、当該プログラム自体が本発明の一態様である。当然ながら、当該プログラムを格納する記録媒体も本発明の一態様である。なお、この記録媒体としては、フラッシュメモリ、ＣＤ−ＲＯＭ、ＤＶＤ−ＲＯＭ等の光学記録媒体、ＭＤ等の磁気記録媒体、テープ記録媒体、及びＩＣカード等の半導体メモリ等を用いることができる。
【０１３０】
なお、本一実施形態においてはデジタルカメラを例に説明したが、デジタルカメラに限らず、例えば携帯電話器が具備するカメラ部に本一実施形態を適用しても勿論よい。
【０１３１】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１３２】
【図１】本発明の一実施形態に係るデジタルカメラの構成を示すブロック図。
【図２】横軸に撮影日時、縦軸に撮影により取得した画像データ数をとるグラフの一例を示す図。
【図３】画像データのスライドショー再生を行う際に、同時に再生する音楽データを自動的に決定する上記カメラ制御部による処理のフローチャートを示す図。
【図４】本発明の一実施形態に係るデジタルカメラの撮影制御及び再生制御に関するカメラ制御部による処理のフローチャートを示す図。
【図５】表示態様決定処理のフローチャートを示す図。
【図６】（１）乃至（６）は、スライドショー再生の表示の一例を示す図。
【図７】先頭１画像処理モードの処理のフローチャートを示す図。
【図８】先頭２画像処理モードの処理のフローチャートを示す図。
【図９】（１）乃至（３）は、スライドショー再生の表示の一例を示す図。
【図１０】（１）乃至（４）は、スライドショー再生の表示の一例を示す図。
【符号の説明】
【０１３３】
１…デジタルカメラ、  １０…カメラ制御部、  １０ａ…分類部、  １０ｂ…スライドショー制御部、  １０ｃ…切換え指示部、  １１…ＳＷ部、  １２…時計部、  １３…ＲＯＭ、  １４…撮像部、  １５…光学系制御部、  １６…画像処理部、  １７…記録再生部、  １８…記録部、  １８ａ…表示用仮記憶領域、  １８ｂ…音楽用仮記憶領域、  １９…表示制御部、  ２０…表示部、  ２１…通信部、  ２２…顔検出部、  ２２ｂ…位置検出部、  ２２ａ…検出部、  ２３…振動検出部、  ２４…合成処理部、  ３３…振動検出部、  ３４…音楽再生部。
【図１】
2009141676.tif 000003
【図２】
2009141676.tif 000004
【図３】
2009141676.tif 000005
【図４】
2009141676.tif 000006
【図５】
2009141676.tif 000007
【図６】
2009141676.tif 000008
【図７】
2009141676.tif 000009
【図８】
2009141676.tif 000010
【図９】
2009141676.tif 000011
【図１０】
2009141676.tif 000012